(57)【特許請求の範囲】
【請求項１】
物揚げ装置でワーク（１５）を吊上げる際に用いられる吊具装置において、吊具本体（１）は板材で長方形状に形成され、その長方形の一辺（１ａ）にはＬ字状部材（３）が、対向する他辺（１ｂ）にはコ字状部材（４）がそれぞれ複数個固着され、かつ吊具本体（１）の上面には物揚げ装置のフック（２１）と係合するＵ字状のハンガー（２）が固着されており、Ｌ字状部材の先端折曲げ部（３ａ）とコ字状部材の先端折曲げ部（４ｂ）を同方向に向け、かつ、Ｕ字状のハンガー（２）をそれと同方向にオフセットさせ、そしてワークの重心を考慮して係合孔（１０、１１）位置を設定し、前記のそれぞれの先端折曲げ部（３ａおよび４ｂ）をワーク（１５）に形成された孔（１０、１１）と係合させてワーク（１５）を吊り上げたときに、前記Ｕ字状のハンガー（２）は前記吊具本体（１）とワーク（１５）とがワーク（１５）の重量により係合状態が維持されるよう吊具本体（１）に対しオフセットしており、吊具本体（１）に設けられた孔（５）に挿入されワーク（１５）の孔（１２）と係合して吊具本体（１）とワーク（１５）とのずれを防止する安全ピン（６）が着脱自在に設けられていることを特徴とする吊具装置。
【発明の詳細な説明】
【０００１】
【発明の属する技術分野】
本発明は、物揚げ装置でワーク等を吊上げる場合に、ワーク等を把持するのに用いられる吊具装置に関する。
【０００２】
【従来の技術】
重量物であるワークをホイスト等で吊上げる場合、そのワークに吊具を取り付けて吊上げる技術は知られている。また、不特定のワークを吊上げる場合、ナイロンロープ等をワークに掛けてそのロープをホイストのフックに掛けて吊上げる技術も知られている。
【０００３】
【発明が解決しようとする課題】
しかしながら、上記の技術においては、前者はワークの吊上げ姿勢によっては、ワークを持ち上げて反転する作業が必要であり、余分な工数であると共に安全性からも問題があり、それを避けるには吊具の種類が増加する。また、ロープ掛けの場合にもワークを持ち上げることが必要で、作業性が悪く、コスト及び安全上も問題がある。
【０００４】
したがって、本発明は、上記の問題点に鑑み、構造簡単で、作業性がよく安全な吊具装置を提供することを目的としている。
【０００５】
【課題を解決するための手段】
本発明によれば、物揚げ装置でワーク（１５）を吊上げる際に用いられる吊具装置において、吊具本体（１）は板材で長方形状に形成され、その長方形の一辺（１ａ）にはＬ字状部材（３）が、対向する他辺（１ｂ）にはコ字状部材（４）がそれぞれ複数個固着され、かつ吊具本体（１）の上面には物揚げ装置のフック（２１）と係合するＵ字状のハンガー（２）が固着されており、Ｌ字状部材の先端折曲げ部（３ａ）とコ字状部材の先端折曲げ部（４ｂ）を同方向に向け、かつ、Ｕ字状のハンガー（２）をそれと同方向にオフセットさせ、そしてワークの重心を考慮して係合孔（１０、１１）位置を設定し、前記のそれぞれの先端折曲げ部（３ａおよび４ｂ）をワーク（１５）に形成された孔（１０、１１）と係合させてワーク（１５）を吊り上げたときに、前記Ｕ字状のハンガー（２）は前記吊具本体（１）とワーク（１５）とがワーク（１５）の重量により係合状態が維持されるよう吊具本体（１）に対しオフセットしており、吊具本体（１）に設けられた孔（５）に挿入されワーク（１５）の孔（１２）と係合して吊具本体（１）とワーク（１５）とのずれを防止する安全ピン（６）が着脱自在に設けられている。
したがって、本発明によれば、前記Ｌ字状部材をワークの対応する孔（貫通孔であっても、盲孔であっても良い)に挿入することにより、前記Ｌ字状部材とワークとが係合する。それと共に、安全ピンを吊具本体に形成された貫通孔及びワークに形成された孔（貫通孔であっても、盲孔であっても良い）に挿入することにより、ワークと吊具本体とのずれが防止される。そして、ワークと吊具本体とがずれなければ(或いは相対的に変位しなければ)、前記Ｌ字状部材とワークとの係合が解除することがない。
かかる吊具をワークから離隔させるに際しては、前記安全ピンを引き抜くことによりワークと吊具本体とを相対的に変位して、前記Ｌ字状部材をワークの対応する孔から離脱させれば良い。
【０００６】
【発明の実施の形態】
図１は長方形のワーク、例えばシリンダヘッドを吊り揚げる吊具装置の一実施形態を示し、鋼板で構成された長方形の吊具本体１の一辺１ａには棒鋼でＬ字状に形成された複数（図示の例は２本）のＬ型ハンガー３が本体１の端部に溶着されている。
【０００７】
また、他辺１ｂには棒鋼でコ字状に形成された複数（図示の例は２本）のハンガー４の開放片４ａが本体の上面にかかるように溶着され、本体１の上面には棒鋼でＵ字状に形成されたＵ型ハンガー２が、本体１にＬ型ハンガーよりにオフセットして設けられた孔に挿入され、強固に溶接により固定されている。
【０００８】
そして、本体の中央部付近に設けられている孔５には本体１とワークとのずれを防止する安全ピン６が着脱自在に挿入されている。なお、ピン６には紛失防止用のチェーンを設けておけば作業性が向上する。
【０００９】
以下、図２を参照して、作用効果について説明する。
例えば、長方形のシリンダヘッド１５を吊り上げる場合、吊具本体１のＬ型ハンガー３とハンガー４との先端部を、シリンダヘッド１５に設けられている鋳抜き孔１０，１１（この孔は他の目的のために設けられている孔を利用する）に挿入し、Ｌ型ハンガー３とハンガー４の先端の折曲げ部３ａ、４ｂが鋳抜き孔１０、１１の顎に係合する方向（図の右方向）にずらし、安全ピン６をシリンダヘッド１５の孔１２に挿入して、吊具本体１をシリンダヘッド１５に取り付ける。
【００１０】
そして、図示しないホイストのチェーン２０のフック２１をＵ型ハンガー２に引っ掛けて吊上げれば、Ｕ型ハンガー２はＬ型ハンガーの方向にオフセットされているので、ワークであるシリンダヘッド１５の重量により、吊具本体１はシリンダヘッド１５に確実にセットされる。換言すれば、シリンダヘッド１５の鋳抜き孔１０、１１と、Ｌ型ハンガー３との係合状態が維持される。
さらに固定ピン６が安全装置として作用するので、落下の危険はない。
【００１１】
また、図３に示すように、シリンダヘッド１５を平置きから起こして移動する場合、側面の穴に前記同様に吊具本体１を取り付けてＡで示すように引き起こして、そのまま吊上げて移動することが可能であるため、作業は安全且つ能率よく実施できる。
【００１２】
また、上記の実施形態では、ハンガー４はコ字状に形成され、本体に対する取り付け位置でＬ型ハンガー３との間隔Ｄが可変となり、一定の範囲で調整できるよう構成されており、多種類のワークに容易に対応可能にしているが、この構成
に限定されるものではない。
【００１３】
【発明の効果】
本発明は以上説明した通り構成されており、以下の優れた効果を奏することが出来る。
（１）  長方形のワークを安全に、吊換えなしに反転・吊上げすることが出来る。
（２）  同類で寸法違いのワークを１種類の吊具装置で簡単に対応でき、作業性がよく、コストも低減できる。
（３）  吊具の種類が低減でき、スペースを要しない。
【図面の簡単な説明】
【図１】本発明の一実施形態を示す吊具の斜視図。
【図２】図１の吊具を用いてワークを吊上げる態様を示す斜視図。
【図３】反転・吊上げの態様を示す斜視図。
【符号の説明】
１…吊具本体
２…Ｕ型ハンガー
３…Ｌ型ハンガー
４…ハンガー
６…安全ピン
１０，１１…鋳抜き孔
１５…シリンダヘッド
【図１】
0004072989.tif 000002
【図２】
0004072989.tif 000003
【図３】
0004072989.tif 000004